(57)【特許請求の範囲】
【請求項１】
鉛直または傾斜した形で立設され、積み重ねられた複数本の丸太が前方へ転倒することを阻止する前側支え部材と、
該前側支え部材に対して略平行で、且つ前側支え部材との間に前記丸太が挿入可能な間隔を設けた形で立設され、前記複数本の丸太が後方へ転倒することを阻止する後側支え部材と、
前記前側支え部材の下端から前記後側支え部材の下端を通って後方に延設され、前記前側支え部材及び前記後側支え部材の立設状態を保持する保持部材と
を具備し、
前記前側支え部材及び前記後側支え部材は、前記複数本の丸太を上方から挿入可能とするとともに、挿入された前記複数本の丸太を積み重ねた状態で支持する
ことを特徴とする木柵用支持具。
【請求項２】
前記前側支え部材、前記後側支え部材、及び前記保持部材は、金属製の棒材から枠状に形成されていることを特徴とする請求項１に記載の木柵支持具。
【請求項３】
棒材からなり、一端が前側支え部材の上端に着脱可能に掛止され、前記後側支え部材の上端で略水平方向から後方下向きに屈曲し、他端が前記保持部材の後端に掛止される補強部材をさらに備えることを特徴とする請求項２に記載の木柵用支持具。
【請求項４】
一端が前記後側支え部材に固定され、他端が前記保持部材に固定された棒材からなり、前記保持部材に対する前記後側支え部材の立設角度を一定角度に保持する第二補強部材をさらに備えることを特徴とする請求項２に記載の木柵用支持具。
【請求項５】
一端が前記保持部材の後端近傍に掛止された状態で垂下され、地面に埋め込まれる杭部材をさらに備えることを特徴とする請求項２乃至請求項４のいずれか一つに記載の木柵用支持具。
【請求項６】
積み重ねられる前記丸太同士の間に挿入され、互いに隣接する前記丸太同士の間に隙間を生じさせる隙間形成部材をさらに備えることを特徴とする請求項１乃至請求項５のいずれか一つに記載の木柵用支持具。
【請求項７】
請求項１乃至請求項６のいずれか一つに記載の木柵用支持具を有し、
周囲に合成樹脂製の保護層を備えた間伐材が、前記丸太として、前記前側支え部材と前記後側支え部材との間に積み重ねられていることを特徴とする木柵。
【請求項８】
請求項１乃至請求項６のいずれか一つに記載の木柵用支持具を有し、
前記丸太には、所定の間隔で複数の貫通孔が穿設され、該貫通孔に、植物の種苗を収容した生分解性の植栽容器が挿設されていることを特徴とする木柵。
【請求項９】
請求項６に記載の木柵用支持具を有し、積み重ねられた前記丸太同士の間に、植物の種苗を収容した生分解性の植栽容器が挿設されていることを特徴とする木柵。
【請求項１０】
請求項１乃至請求項６のいずれか一つに記載の木柵用支持具を有し、
積み重ねられた複数の丸太のうち、最上段に位置する丸太が、番線によって、前記前側支え部材の上端及び前記後側支え部材の上端に縛り付けられていることを特徴とする木柵。
【発明の詳細な説明】
【０００１】
【発明の属する技術分野】
本発明は、木柵用支持具、及び木柵に関するものであり、特に、間伐材から作製され、山間部における道路脇の斜面等に施工される木柵、及びその木柵において使用される木柵用支持具に関するものである。
【０００２】
【従来の技術】
従来より、山間部等の道路脇の斜面には、土砂崩れ等を防ぐため、コンクリート擁壁が形成されている。このコンクリート擁壁により、周辺地域の安全性を確保し、万が一自然災害が発生した場合でも被害を極めて低く抑えることができる。しかし、従来の擁壁はコンクリートにより構築されており、表面はコンクリートが剥き出しとなることから、外観上周辺の自然環境にそぐわず不自然な景観となっていた。
【０００３】
そこで、上記のコンクリート擁壁に代えて、間伐材等の木材で作製した木柵により土砂崩れを防止するようにしたものがある。具体的には、所定の間隔で杭木を地面に対して垂直に打ち込み、この杭木に対して垂直状態となるように複数本の背丸太を上下方向に並べ、背丸太と杭木とを番線で縛り付けることによって、木柵を形成するものが知られている。また、番線の代わりに、ボルト及びナットで締結させるようにしたものもある。
【０００４】
ところが、これらの木柵では、複数本の背丸太を積み重ねる際に、背丸太を一本毎、夫々複数本の杭木に番線で縛り付けるか、またはボルト及びナットで締結させるという作業が必要であることから、施工に手間がかかっていた。
【０００５】
そこで、丸太に少なくとも二つの貫通孔を穿設するとともに、立上がり部を有する少なくとも二本の線材を設置面に配設し、貫通孔に線材が挿入されるように、線材の立上がり部を軸として複数本の丸太を積み重ねることにより、木柵を形成ようにすることが考えられている。
【０００６】
【発明が解決しようとする課題】
しかし、上記の木柵では、線材を挿通させるための貫通孔を全ての丸太に穿設しなければならず、丸太の加工に手間がかかり、製造コストが増加する恐れがあった。また、線材に対する丸太の向き、すなわち丸太の積み重ね方向が制限されるため、丸太の向きを意識しながら積み重ねなければならなかった。特に、丸太のガタツキを防ぐため、丸太における貫通孔の内径は、線材の外径より僅かに大きくなるように設定されているため、丸太の差し込み難さが助長され、作業者の負担が大きくなっていた。
【０００７】
また、間伐材を用いて擁壁等を構築すると、間伐材が有機質であることから、木材腐朽菌等の細菌類が間伐材の組織に侵入し、細胞壁を分解して、間伐材の強度を低下させたり形態を変形させたりする、いわゆる腐朽が生じる恐れがあった。
【０００８】
さらに、上記の木柵では、正面から見て一面にわたり丸太を積み重ねた形状となっているため、木柵の表面から草木が生えることがなく、草木が生い茂る周辺の山々の中で自然の景観を損なうという課題が残されていた。
【０００９】
そこで、本発明は、上記の実情に鑑み、丸太に穿設等の加工を施さなくても、現場において木柵を容易に施工できる木柵用支持具の提供を第一の課題とし、丸太の耐久性を向上できる木柵の提供を第二の課題とし、さらに自然環境の中に構築しても周辺の景観に合致させることが可能な木柵の提供を第三の課題とする。
【００１０】
【課題を解決するための手段】
請求項１の発明にかかる木柵用支持具は、鉛直または傾斜した形で立設され、積み重ねられた複数本の丸太が前方へ転倒することを阻止する前側支え部材と、該前側支え部材に対して略平行で、且つ前側支え部材との間に前記丸太が挿入可能な間隔を設けた形で立設され、前記複数本の丸太が後方へ転倒することを阻止する後側支え部材と、前記前側支え部材の下端から前記後側支え部材の下端を通って後方に延設され、前記前側支え部材及び前記後側支え部材の立設状態を保持する保持部材とを具備し、前記前側支え部材及び前記後側支え部材は、前記複数本の丸太を上方から挿入可能とするとともに、挿入された前記複数本の丸太を積み重ねた状態で支持するものである。
【００１１】
したがって、請求項１の発明の木柵用支持具によれば、保持部材により、前側支え部材及び後側支え部材（二つの支え部材という）は、設置面に対して立設された状態で保持される。作業者が丸太を二つの支え部材の間に上方から挿入すると、その丸太は、前側支え部材により前方への移動が制限され、後側支え部材により後方への移動が制限される。つまり、丸太は二つの支え部材により支持された状態となる。このため、複数本の丸太を上方から順次挿入すると、複数本の丸太が安定した状態で積み重なる。
【００１２】
請求項２の発明にかかる木柵用支持具は、請求項１に記載の木柵用支持具において、前記前側支え部材、前記後側支え部材、及び前記保持部材は、金属製の棒材から枠状に形成されているものである。つまり、金属製の棒材が折り曲げられ、または溶接等の接合手段によって接合されることにより、全体的に枠状に形成されている。
【００１３】
したがって、請求項２の発明の木柵用支持具によれば、請求項１の発明の作用に加え、棒材から枠状に形成されるため、構造が簡単になり、また全体的に軽量化される。
【００１４】
請求項３の発明にかかる木柵用支持具は、請求項２に記載の木柵用支持具において、棒材からなり、一端が前側支え部材の上端に着脱可能に掛止され、前記後側支え部材の上端で略水平方向から後方下向きに屈曲し、他端が前記保持部材の後端に掛止される補強部材をさらに備えるものである。
【００１５】
したがって、請求項３の発明の木柵用支持具によれば、請求項２の発明の作用に加え、補強部材の一端が前側支え部材の上端に掛止され、他端が保持部材の後端に掛止されるため、前側支え部材に前方への力が加えられても、補強部材により前方への変形が抑制される。また、補強部材が、後側支え部材の上端位置において略水平方向から後方下向きに屈曲するため、後側支え部材に後方への力が加えられても、補強部材により後方への変形が抑制される。なお、補強部材の一端は前側支え部材に着脱可能であるため、複数本の丸太を挿入し積み重ねた後に、補強部材を取り付けることが可能になる。
【００１６】
請求項４の発明にかかる木柵用支持具は、請求項２に記載の木柵用支持具において、一端が前記後側支え部材に固定され、他端が前記保持部材に固定された棒材からなり、前記保持部材に対する前記後側支え部材の立設角度を一定角度に保持する第二補強部材をさらに備えるものである。
【００１７】
したがって、請求項４の発明の木柵用支持具によれば、請求項２の発明の作用に加え、後側支え部材に後方への力が加えられても、第二補強部材により後方への変形が抑制される。
【００１８】
請求項５の発明にかかる木柵用支持具は、請求項２乃至請求項４に記載の木柵用支持具において、一端が前記保持部材の後端近傍に掛止された状態で垂下され、地面に埋め込まれる杭部材をさらに備えるものである。
【００１９】
したがって、請求項５の発明の木柵用支持具によれば、請求項２乃至請求項４の発明の作用に加え、杭部材を地面に埋め込むことにより、保持部材が設置面に対して固定される。特に、杭部材は、保持部材の後端近傍、すなわち二つの支え部材の下端から最も遠い位置に掛止されているため、前側支え部材の下端を中心とした前側への転倒を、効率的に抑制することが可能になる。
【００２０】
請求項６の発明にかかる木柵用支持具は、請求項１乃至請求項５のいずれか一つに記載の木柵用支持具において、積み重ねられる前記丸太同士の間に挿入され、互いに隣接する前記丸太同士の間に隙間を生じさせる隙間形成部材をさらに備えるものである。
【００２１】
したがって、請求項６の発明の木柵用支持具によれば、請求項１乃至請求項５のいずれか一つの発明の作用に加え、隙間形成部材により、丸太同士の間に隙間が設けられる。このため、この隙間を通って植物を育成させることが可能となる。
【００２２】
請求項７の発明にかかる木柵は、請求項１乃至請求項６のいずれか一つに記載の木柵用支持具を有し、周囲に合成樹脂製の保護層を備えた間伐材が、前記丸太として、前記前側支え部材と前記後側支え部材との間に積み重ねられているものである。
【００２３】
したがって、請求項７の発明の木柵によれば、間伐材を被覆する保護層は比較的高い硬度を有しているため、腐朽の原因となる木材腐朽菌が間伐材の組織に侵入し難くなる。このため、細胞壁の成分が分解されることが抑制される。
【００２４】
請求項８の発明にかかる木柵は、請求項１乃至請求項６のいずれか一つに記載の木柵用支持具を有し、前記丸太には、所定の間隔で複数の貫通孔が穿設され、該貫通孔に、植物の種苗を収容した生分解性の植栽容器が挿設されているものである。
【００２５】
したがって、請求項８の発明の木柵によれば、植栽容器に収容された種苗を育成すると、丸太の表面が緑化される。また、植栽容器は生分解性であることから、土中の微生物の働きにより数ヶ月〜数年で分解される。
【００２６】
請求項９の発明にかかる木柵は、請求項６に記載の木柵用支持具を有し、積み重ねられた前記丸太同士の間に、植物の種苗を収容した生分解性の植栽容器が挿設されているものである。
【００２７】
したがって、請求項９の発明の木柵によれば、植栽容器に収容された種苗を育成すると、丸太同士の間から植物が生え、丸太の周囲が緑化される。また、植栽容器は生分解性であることから、土中の微生物の働きにより数ヶ月〜数年で分解される。
【００２８】
請求項１０の発明にかかる木柵は、請求項１乃至請求項６のいずれか一つに記載の木柵用支持具を有し、積み重ねられた複数の丸太のうち、最上段に位置する丸太が、番線によって、前記前側支え部材の上端及び前記後側支え部材の上端に縛り付けられているものである。
【００２９】
したがって、請求項１０の発明の木柵によれば、最上段に位置する丸太が、番線によって前側支え部材及び後側支え部材に固定されているため、積み重ねられた複数本の丸太が、前側支え部材及び後側支え部材の間から上方に抜けることが防止される。
【００３０】
【発明の実施の形態】
以下、本発明の第一実施形態である木柵及び木柵支持具について、図１乃至図３に基づき説明する。図１は本発明の第一実施形態である木柵を示す斜視図であり、図２は図１の木柵における木柵用支持具の構成を示す斜視図であり、図３は木柵において使用される丸太の部分拡大断面図である。本実施形態の木柵１は、山間部における道路脇の斜面等の法面に、擁壁として施工されるものであり、複数本の丸太２と、これらの丸太２を積み重ねた状態に支持する木柵用支持具３（以下、支持具３と称す）とから構成されている。なお、図１では、木柵１（単位構造物）を上下方向に三段積み上げるものを示しているが、この段数は特に限定されるものではなく、木柵１を施工すべき法面の高さ等に応じて適宜設定される。
【００３１】
支持具３は、図２に示すように、例えば金属製の棒材（鉄筋）から枠状に形成されたものであり、機能的な構造として、積み重ねられた複数本の丸太２を支持する前側支え部材５及び後側支え部材６と、これら二つの支え部材５，６を立設状態に保持する保持部材７と、二つの支え部材５，６間の間隔Ｌを一定に保つように補強する二つの補強部材８と、保持部材７を設置面に固定するための二つの杭部材９とを備えている。
【００３２】
さらに詳細に説明すると、前側支え部材５は、複数本の丸太２が前方へ転倒することを阻止するものであり、設置面に対して後方に傾斜（例えば７５度に傾斜）した形で立設された二つの立上がり部１１と、立上がり部１１の上端同士を繋ぐ上端連結部１２とから構成されている。つまり、正面から見て下端が開放された略コ字形の形状を呈している。なお、立上がり部１１の長さＨは、複数本の丸太２を積み重ねることが可能な長さに設定され、また上端連結部１２の長さＭは、丸太２の長さより短い長さに設定されている。具体的に本実施形態では、外径が１００ｍｍ、長さが３０００ｍｍの丸太に対して、立上がり部１１の長さＨを５０５ｍｍ、上端連結部１２の長さＭを１０００ｍｍに設定している。
【００３３】
後側支え部材６は、複数本の丸太２が後方へ転倒することを阻止するものであり、前側支え部材５に対して略平行に立設されている。なお、前側支え部材５と後側支え部材６との間隔Ｌは、丸太２の加工精度に多少バラツキがあっても丸太２を容易に挿入でき、しかも丸太２を安定した状態で支持できる長さに設定されている。例えば、上記のように丸太２の外径を１００ｍｍとした場合、間隔Ｌは１０５ｍｍ程度が好ましい。また、後側支え部材６は、前側支え部材５と同様、立上がり部１３と上端連結部１４とを備えているが、さらに立上がり部１３の下端には、後方に折れ曲った接合部１５が設けられている。そして、接合部１５が、溶接等の接合手段によって保持部材７に接合されている。
【００３４】
保持部材７は、前側支え部材５と一体に形成されており、左右の立上がり部１１の下端から夫々折れ曲り、後側支え部材６の下端を通って後方に延設された二本の後方延設部１６と、後方延設部１６の後端同士を繋ぐ後端連結部１７とから構成されている。つまり底面から見て前端が開放された略コ字形の形状を呈している。なお、後方延設部１６の長さを長くする程、二つの支え部材５，６を安定した状態で立設させることができる。本実施形態では、取り扱いのし易さ等も考慮して、後方延設部１６の長さを例えば９００ｍｍに設定している。
【００３５】
補強部材８は、一端に引掛部１８が形成され、他端に係止部１９が形成された棒状の部材である。引掛部１８は補強部材８の長手方向に対して略直角に折り曲げられており、前側支え部材５の上端連結部１２に着脱可能に掛止される。また、係止部１９は補強部材８の長手方向に対して折返す形で形成されており、保持部材７の後端連結部１７に掛止される。さらに、補強部材８は、後側支え部材６の上端連結部１４に接するとともに、上端連結部１４の上端位置で略水平方向から後方下向きに屈曲している。このため、前側支え部材５に前方への力が加えられても、上端連結部１２と後端連結部１７との間隔が補強部材８の長さよりも長くなることはないため、前側支え部材５における前方への変形が抑制される。また後側支え部材６に後方への力が加えられても、前側支え部材５と後側支え部材６との間隔Ｌは補強部材８における水平方向部位の長さよりも長くなることはないため、後側支え部材６における後方への変形が抑制される。なお、引掛部１８は上端連結部１２に着脱可能であることから、複数本の丸太２を挿入し積み重ねた後に、補強部材８を取り付けることが可能である。
【００３６】
杭部材９は、一端に係止部２０が形成され、保持部材７の後端連結部１７から垂下された棒状の部材である。この杭部材９を地面に打ち込むことにより、保持部材７が設置面に対して固定される。特に、杭部材９は、後端連結部１７、すなわち二つの支え部材５，６の下端から最も遠い位置に取付けられるため、前側支え部材５の下端を中心とした前側への転倒を、効率的に抑制することが可能になる。
【００３７】
一方、丸太２は、図３に示すように、樹皮の剥がされた間伐材２２と、間伐材２２の周囲に形成された防虫層２３、下地層２４、及び保護層２５とから構成されている。防虫層２３は間伐材２２の表面に木材防虫剤を塗布すること、あるいは木材防虫剤の液の中に間伐材２２を入れて表面皮膜を作ること（所謂どぶ漬け）等によって形成されている。なお、木材防虫剤とは、昆虫等の食害から間伐材２２を守るために用いられる化合物であり、例えばホウ酸ナトリウムが挙げられる。下地層２４は、後述する熱硬化性樹脂が塗布される前に、その塗布面である間伐材２２の表面を平滑にするとともに、熱硬化性樹脂が間伐材２２に浸透するのを防ぎ、仕上がりを良くするためのものである。下地層２４は、サーフェ−サーと呼ばれる塗料をシンナー等によって薄め、これを数度にわたって防虫層２３に塗布することによって形成されている。
【００３８】
保護層２５は、熱硬化性樹脂を下地層２４に塗布し、熱硬化させることによって形成されている。熱硬化性樹脂としては、例えば、アルキド樹脂、ポリエステル樹脂、不飽和ポリエステル樹脂、ポリウレタン樹脂、アクリル樹脂、エポキシ樹脂、メラミン樹脂、フェノール樹脂等が挙げられるが、ここではポリエステル樹脂が採用されている。
【００３９】
次に、第一実施形態の木柵１の施工工程について説明する。まず、山間部における道路脇の斜面等、法面近傍の所定の箇所に、予め組み付けられた支持具３を設置する。そして、杭部材９を後端連結部１７に掛止させながら設置面に打ち込むことにより、保持部材７を設定面に固定する。これにより、二つの支え部材５，６は立設した状態に保持される。
【００４０】
なお、現場では、図１に示すように、保持部材７の下に強化シート２７を敷設し、また保持部材７の上方と後側支え部材６の後方とを覆うように緑化シート２８を配設する。強化シート２７とは、高強度を有する厚手の不織布によって形成されたものであり、これにより丸太２の後方の盛土層（図示しない）に含まれる水を適宜排出場所へ導くことができる。また、緑化シート２８とは、不織布等の透水性材料によって形成された透水シートであり、これにより積み重ねられる丸太２同士の隙間から、盛土層の盛土材が流出することを防ぐとともに、植物の成長を促進させることができる。つまり、丸太２同士の間に隙間がある場合には、その隙間から植物を生い茂げらせることができ、また、丸太２が腐敗した際には、緑化シート２８全面に植物を植栽でき緑の擁壁を形成することができる。
【００４１】
続いて、作業者は、二つの支え部材５，６の間に上方から丸太２を挿入する。すると、その丸太２は、前側支え部材５により前方への移動が制限され、後側支え部材６により後方への移動が制限される。つまり、丸太２は二つの支え部材５，６により支持された状態となる。このため、複数本の丸太２を上方から順次挿入すると、複数本の丸太２が安定した状態で積み重なる。丸太２を積み重ねた後、二つの補強部材８の引掛部１８を上端連結部１２に掛けることにより、補強部材８を取付ける。
【００４２】
その後、強化シート２７及び緑化シート２８によって囲まれた空間に、上端連結部１２の高さまで、現場の土等を利用して盛土材を充填し、さらに衝撃ローラ等で転圧して押し固める。これにより盛土層が形成される。
【００４３】
上記の工程により一つの木柵１が施工される。その後、法面に対して必要な段数だけ木柵１を積み上げるために、上記の工程を繰返す。
【００４４】
なお、緑化を促進させるために、緑化シート２８の表面または木柵１の表面に、植生材を付着させるようにしてもよい。植生材としては、人工土壌、種子等の混合物を吹付けてなる吹付層を用いることができる。なお、吹付け工法としては、人工土壌、種子、肥料、養生剤、及び土壌活性剤等の素材を水に溶かして吹付ける「客土吹付け工法」であってもよく、同様の素材を乾式で吹付ける「厚層基材吹付け工法」であってもよい。
【００４５】
このように、上記の支持具３では、二つの支え部材５，６の間に、複数本の丸太２を上方から順次挿入するだけで、これらの丸太２を安定した状態で積み重ねることができる。つまり、従来のように丸太２に穿設等の加工をしなくても、現場において極めて簡単に積み重ねることができ、施工を容易に行なうことができる。このため、作業性を上げ、作業者の負担を軽くできる。特に、支持具３は線材から枠状に形成されるため、構造が簡単で、比較的安価に製造することができる。さらに、全体的に軽量化されるため、容易に取り扱うことができる。
【００４６】
また、上記の支持具３では、補強部材８によって、前側支え部材５及び後側支え部材６の変形を抑えることができるため、２つの支え部材５，６の太さが比較的細くても、丸太２を安定して支持することができる。また、杭部材９によって２つの支え部材５，６の立設状態を確実に保持できるため、法面の土砂崩れを防ぎ安全性を確保できる。
【００４７】
さらに、上記の木柵１において使用される丸太２は、間伐材２２の周囲に防虫層２３、下地層２４、及び保護層２５が形成されているため、耐久性の低下を防止でき、長期にわたって使用できる。
【００４８】
続いて、本発明の第二実施形態である木柵及び木柵支持具について、図４乃至図６に基づき説明する。図４は本発明の第二実施形態である木柵を示す斜視図であり、図５は図４の側面図であり、図６は木柵における隙間形成部材の構成を示す斜視図である。なお、第二実施形態において、第一実施形態と同様の構成については、同一の番号を付し詳細な説明を省略する。
【００４９】
図４及び図５に示すように、この第二実施形態には、互いに構成が異なる第一木柵３０と第二木柵３１とを有している。第一木柵３０は、第一実施形態の木柵１と略同様の構成であり、複数本の丸太２と、これらの丸太２を積み重ねた状態に支持する支持具３とから構成されている。ただし、積み重ねられた最上段の丸太２ａには、所定の間隔で複数の貫通孔３４が穿設されている。そして、この貫通孔３４に、植物の種苗３５を収容した植栽容器３６が挿設されている。このため、植栽容器３６に収容された種苗３５を育成すると、丸太２の表面が緑化される。なお、植栽容器３６は、紙製のものであってもよいが、でんぷんを主成分として成形され、土中の微生物の働きにより三ヶ月〜三年程度で分解されるものが好ましい。
【００５０】
また、第二木柵３１は第一木柵３０の後方斜め上方に配設されている。つまり、第一木柵３０の最上段の丸太２ａに対して、一本の丸太２ｂを介在させ、さらに第二木柵３１の最下段の丸太２ｃが奥側に並ぶように、すなわち、三本の丸太２ａ，２ｂ，２ｃが同一平面上に並設するように配設されている。なお、丸太２ｂには、第一木柵３０の丸太２ａと同様、複数の貫通孔３４が穿設され、植物の種苗３５を収容した植栽容器３６が挿設されている。また、三本の丸太２ａ，２ｂ，２ｃは、Ｃ形形状の結束部材３７によって結束されている。この結束部材３７は、可撓性の部材から形成されている。つまり、弾性力に抗してＣ形の開放端を一旦開いた状態で、第一木柵３０の丸太２ａの外周と第二木柵３１の丸太２ｃの外周とに掛止させることにより、弾性力を利用して三本の丸太２ａ，２ｂ，２ｃを結束することができるものである。
【００５１】
第二木柵３１は、複数本の丸太２及び支持具３に加え、二つの隙間形成部材３８を備えている。これらの隙間形成部材３８は、積み重ねられる丸太２同士の間に隙間Ｓを生じさせるものである。具体的には、図６に示すように、縦方向に延びる円柱状の縦部３９と、縦部３９の周面に対して上下方向に所定の間隔で接合され略水平方向に突出する四本の突出部４０とから構成されている。これによれば、複数本の丸太２を積み重ねる際、隣接する丸太２同士の間に突出部４０を夫々挿入させることにより、丸太２同士の間に突出部４０の外径に相当する幅の隙間Ｓを設けることができる。なお、突出部４０の外径は特に限定されるものではないが、本実施形態では例えば２５ｍｍに設定している。
【００５２】
このように第二実施形態では、複数の木柵３０，３１を段状に積み上げることができるため、法面に沿った形状に形成でき、自然の景観に合致させることができる。特に、丸太２の内部に植栽容器３６を挿設したり、丸太２同士の間に隙間Ｓを形成したりすることにより、丸太２の表面を緑化することができ、周囲の山々の風景に合致した景観を作り出すことができる。
【００５３】
続いて、本発明の第三実施形態である木柵及び木柵支持具について、図７及び図８に基づき説明する。図７は本発明の第三実施形態である木柵を示す正面図であり、図８は図７の側面図である。なお、第三実施形態において、第一実施形態と同様の構成については、同一の番号を付し詳細な説明を省略する。
【００５４】
本実施形態の木柵４１は、複数本の丸太２と、これらの丸太２を積み重ねた状態に支持する木柵用支持具４２（以下、支持具４２と称す）と、積み重ねられる丸太２同士の間に隙間Ｓを生じさせる隙間形成部材４３とから構成されている。なお、図７及び図８では、一つの木柵４１しか示していないが、現場では第一実施形態や第二実施形態のように、施工すべき法面の高さ等に応じた数の木柵４１が積み重ねられる。
【００５５】
支持具４２は、第一実施形態と同様、前側支え部材５及び後側支え部材６と、これら二つの支え部材５，６を立設状態に保持する保持部材７とを備えている。ただし、第一実施形態における補強部材８に相当するものはなく、その代わりに、支持具４２の左右端部に第二補強部材４４が設けられている。この第二補強部材４４は、一端が後側支え部材６の立上がり部１３に溶接され、他端が保持部材７の後方延設部１６に溶接された棒材から構成されており、略鉛直方向に配設されている。これにより、保持部材７に対する後側支え部材６の立設角度が一定角度に保持され、後側支え部材６に後方への力が加えられても、後方への変形が抑制される。
【００５６】
隙間形成部材４３は、ブロック状の木材から成形されており、丸太２同士の間に二個ずつ挿入されている。そして、二個の隙間形成部材４３の厚みによって隙間Ｓが形成されている。なお、夫々の隙間形成部材４３及び隙間Ｓの後方には、丸太２と同等の長さの植生袋４５が、丸太２に沿って配設されており、隙間形成部材４３の後方への移動を阻止している。植生袋４５は、透水性を有する収納袋を有しており、その中に、肥料、土壌改良剤、保水剤、人口土壌、及び種子等が充填されている。さらに、隙間Ｓには、植物の種苗を収容した植栽容器３６が所定の間隔で挿設されている。このため、植生袋４５に収容された種子、及び植栽容器３６に収容された種苗を育成すると、丸太２の周囲が緑化される。
【００５７】
また、木柵４１では、積み重ねられた複数本（例えば六本）の丸太２のうち、最上段に位置する丸太２ａが、番線４６によって、前側支え部材５の上端連結部１２、及び後側支え部材６の上端連結部１４に縛り付けられている。これにより、積み重ねられた複数本の丸太２が、前側支え部材５及び後側支え部材６の間から上方に抜けることが防止される。
【００５８】
また、現場では、第一実施形態と同様に、保持部材７の上方と後側支え部材６の後方とを覆うように緑化シート２８が配設されるが、この場合、図８に二点鎖線で示すように、後側支え部材６の後方の保持部材７上に丸太４７を載置することにより、丸太４７を支えとして緑化シート２８を容易に張設することが可能になる。
【００５９】
このように第三実施形態では、第二補強部材４４によって後側支え部材６の変形を抑えることができる。このため、棒材から成形された後側支え部材６の太さが比較的細くても、複数本の丸太２を安定した状態で支持できる。特に、第二補強部材４４は溶接等によって予め固定されていることから、第一実施形態における補強部材８のように、丸太２を積み重ねた後に取付けるという作業がなくなり、作業性を向上できる。しかも、現場では、盛土層を押し固めるために、衝撃ローラ等を用いた転圧が行なわれが、このような作業においても第二補強部材４４が作業の邪魔になることはない。
【００６０】
また、第三実施形態では、最上段に位置する丸太２ａを番線４６によって縛り付けることにより、積み重ねられた複数本の丸太を全て固定することができる。つまり、従来のように丸太を一本一本固定させるような作業が不要となることから作業者の負担を軽くすることができる。
【００６１】
さらに、第三実施形態では、丸太２同士の隙間Ｓに配設された、植生袋４５と植栽容器３６とにより、夫々の丸太２の周囲に植物を育成でき、全体を緑化することができる。
【００６２】
以上、本発明について好適な三つの実施形態を挙げて説明したが、本発明はこれらの実施形態に限定されるものではなく、以下に示すように、本発明の要旨を逸脱しない範囲において、種々の改良及び設計の変更が可能である。
【００６３】
すなわち、第一及び第二実施形態の木柵１，３０では五本の丸太２を積み重ねるものを示し、また第三実施形態の木柵４１では六本の丸太２を積み重ねるものを示したが、二本以上の丸太２であれば何本であってもよい。また、第一実施形態の木柵１では、支持具３について具体的な数値を挙げて説明したが、本発明は、これらの数値に限定させるものではなく、適宜設定することが可能である。
【００６４】
また、第一実施形態の支持具３では、補強部材８を両側に夫々設けるものを示したが、中央に一つのみ設けるようにしてもよい。このようにすれば、支持具３の構成がさらに簡略化され、一層安価に製造できるようになる。また、杭部材９として係止部２０を有する金属製の部材を示したが、係止部を備えない木製の杭（従来から周知のもの）を用いるようにしてもよい。
【００６５】
さらに、第一乃至第三実施形態の支持具３、４２では、二つの支え部材５，６に上端連結部１２，１４を設けるものを示したが、上端連結部１２，１４を設けることなく、支え部材５，６を、立上がり部１１，１３のみから構成してもよい。ただし、上記のように上端連結部１２，１４を設けることにより、前方または後方に加わる力を夫々二本の立上がり部１１，１３に分散でき耐久性を向上できる。しかも、上端連結部１２，１４が丸太２を挿入する際のガイドとして機能することから作業を容易にさせることができる。
【００６６】
また、第三実施形態の木柵４１では、丸太２同士の間に、ブロック状の隙間形成部材４３を二個ずつ配置するものを示したが、隙間形成部材４３の数は特に限定されるものではない。例えば、下側に位置する丸太２同士の間に、数多くの隙間形成部材４３を配置させれば、盛土層からの土の流出を効果的に抑えることができる。
【００６７】
第二実施形態の木柵３０では、最上段の丸太２ａに植栽容器３６を挿設するものを示したが、その他の丸太２においても前後方向に貫通する横孔を穿設し、植栽容器を横向きに挿設するようにしてもよい。この場合、横向きに挿設する植栽容器には、植栽容器３６に比べ成長の遅い種苗を植えることが好ましい。また、第二実施形態の木柵３０では、隙間形成部材３８として、縦部３９と突出部４０とからなるものを示したが、第二実施形態のようにブロック状のものを用いるようにしてもよい。
【００６８】
【発明の効果】
以上のように、請求項１の発明の木柵用支持具は、前側支え部材と後側支え部材との間に、複数本の丸太を上方から順次挿入するだけで、これらの丸太を安定した状態で積み重ねることができる。つまり、丸太に穿設等の加工をしなくても、現場において極めて簡単に積み重ねることができ、施工を容易に行なうことができる。このため、作業性を上げ、作業者の負担を軽くできる。
【００６９】
請求項２の発明の木柵用支持具は、請求項１の発明の効果に加えて、構造が簡単になるため、比較的安価に製造できる。また、丸太を全体的に覆うことはないため、丸太の良さを生かし、不自然な景観となることを抑制できる。
【００７０】
請求項３の発明の木柵用支持具は、請求項２の発明の効果に加えて、前側支え部材及び後側支え部材の変形を抑えることができる。このため、棒材から成形された前側支え部材及び後側支え部材の太さが比較的細くても、丸太を安定した状態で支持できる。
【００７１】
請求項４の発明の木柵用支持具は、請求項２の発明の効果に加えて、後側支え部材の変形を抑えることができる。このため、棒材から成形された後側支え部材の太さが比較的細くても、丸太を安定した状態で支持できる。
【００７２】
請求項５の発明の木柵用支持具は、請求項２乃至請求項４のいずれか一つの発明の効果に加えて、設置面に対して簡単に固定することができ、前側支え部材及び後側支え部材の立設状態を確実に保持できる。
【００７３】
請求項６の発明の木柵用支持具は、請求項１乃至請求項５のいずれか一つの発明の効果に加えて、積み重ねられた丸太同士の間を通して植物を育成することができ表面を緑化できる。このため、周囲の山々の風景に合致した景観を作り出すことができる。
【００７４】
請求項７の発明の木柵は、保護層によって細胞壁の成分が分解されることが抑制されるため、耐久性の低下を防ぎ、長期にわたって使用できる。
【００７５】
請求項８または請求項９の発明の木柵は、丸太の表面または周囲が緑化されるため、周囲の山々の風景に合致した景観を作り出すことができる。また、植栽容器は数ヶ月〜数年で分解されるため、自然への影響を少なくできる。
【００７６】
請求項１０の発明の木柵は、最上段に位置する丸太を番線によって縛り付けるこてにより、積み重ねられた複数本の丸太を全て固定することができる。つまり、従来のように丸太を一本一本固定させるような作業が不要となることから作業者の負担を軽くすることができる。
【図面の簡単な説明】
【図１】本発明の第一実施形態である木柵の構成を示す斜視図である。
【図２】本発明の第一実施形態の木柵において使用される木柵用支持具の構成を示す斜視図である。
【図３】木柵において使用される丸太の部分拡大断面図である。
【図４】本発明の第二実施形態である木柵の構成を示す斜視図である。
【図５】第二実施形態の木柵の側面を示す側面図である。
【図６】第二実施形態の木柵における隙間形成部材の構成を示す斜視図である。
【図７】本発明の第三実施形態である木柵の構成を示す正面図である。
【図８】第三実施形態の木柵の構成を示す側面図である。
【符号の説明】
１，４１  木柵
２  丸太
３，４２  支持具（木柵用支持具）
５  前側支え部材
６  後側支え部材
７  保持部材
８  補強部材
９  杭部材
２２  間伐材
２５  保護層
３０  第一木柵（木柵）
３１  第二木柵（木柵）
３４  貫通孔
３５  種苗
３６  植栽容器
３８，４３  隙間形成部材
４４  第二補強部材
４６  番線
Ｓ  隙間
【図１】
0004528466.tif 000002
【図２】
0004528466.tif 000003
【図３】
0004528466.tif 000004
【図４】
0004528466.tif 000005
【図５】
0004528466.tif 000006
【図６】
0004528466.tif 000007
【図７】
0004528466.tif 000008
【図８】
0004528466.tif 000009